(57)【特許請求の範囲】
【請求項１】
補聴器本体と、レシーバを内蔵する耳せん部を設けて前記補聴器本体と着脱可能に接続されるレシーバユニットとを備える耳かけ型補聴器であって、
前記レシーバユニットの一端に形成されたコネクタ部を前記補聴器本体のコネクタ受容部に連結した状態で形成されるロックピン挿入孔と、
長手方向に沿って前記ロックピン挿入孔に挿入可能な棒状部材からなるロックピンと、
を備え、
前記ロックピンは、前記長手方向を軸方向とする円筒の基本形状を有する前記棒状部材に対し、前記長手方向の中央部に凹部を形成し、かつ、両端部で円形断面の径が細くなる形状に形成した軸対称の構造を有し、
前記ロックピン挿入孔には、前記凹部に対応する凸部が形成され、
前記ロックピンを前記ロックピン挿入孔に挿入して前記凹部が前記凸部に係合した状態で、前記レシーバユニットが前記コネクタ部を介して前記補聴器本体と一体的に固定されることを特徴とする耳かけ型補聴器。
【請求項２】
前記ロックピンは、所定の硬度を有する樹脂材料により形成され、前記ロックピンと前記ロックピン挿入孔の断面方向の相対的変位により前記凹部が前記凸部に係合することを特徴とする請求項１に記載の耳かけ型補聴器。
【請求項３】
補聴器本体と、レシーバを内蔵する耳せん部を設けて前記補聴器本体と着脱可能に接続されるレシーバユニットとを備える耳かけ型補聴器に用いるロックピン取付ユニットであって、
棒状部材からなるロックピンと、
第１の分離部を介して前記ロックピンが取り付けられた板状のロックピン把持部と、
第２の分離部を介して前記ロックピン把持部に取り付けられ、前記ロックピンの周囲を取り囲む形状を有する板状のロックピン保護部と、
を備え、
前記ロックピン、前記ロックピン把持部、前記ロックピン保護部、前記第１及び第２の分離部は、共通の樹脂材料により形成され、
前記第２の分離部により前記ロックピン保護部を前記ロックピン把持部から分離した状態で、前記耳かけ型補聴器のロックピン挿入孔に前記ロックピンを前記長手方向に沿って挿入した後、前記第１の分離部により前記ロックピンを前記ロックピン把持部から分離可能であることを特徴とするロックピン取付ユニット。
【請求項４】
前記ロックピンには、前記長手方向の所定位置に凹部が形成されるとともに、前記ロックピン挿入孔には、前記凹部に対応する凸部が形成され、前記ロックピンを前記ロックピン挿入孔に挿入したとき前記凹部が前記凸部に係合することを特徴とする請求項３に記載のロックピン取付ユニット。
【請求項５】
前記ロックピン把持部の一端に、前記ロックピン挿入孔に挿入されている前記ロックピンを押し出すための突出部を設けたことを特徴とする請求項３又は４に記載のロックピン取付ユニット。
【発明の詳細な説明】
【技術分野】
【０００１】
本発明は、補聴器本体と、前記補聴器本体と着脱可能に接続されるレシーバユニットとを備える耳かけ型補聴器に関する。
【背景技術】
【０００２】
一般に、ＲＩＴＥ(Receiver In The Ear)タイプやＲＩＣ(Receiver In The Canal)タイプの耳かけ型補聴器は、補聴器本体とレシーバユニットから構成され、レシーバユニットが補聴器本体と着脱可能に構成されている。このような構成の耳かけ型補聴器においては、レシーバユニットが補聴器本体から外れないように、レシーバユニットを補聴器本体に確実に固定しておかなければならない。例えば、特許文献１には、補聴器本体にレシーバユニットを連結する連結手段の所定位置に、固定ばねを係合させる構成が開示されている。すなわち、特許文献１の図５に示されるように、補聴器本体の開口部３８に、連結手段７の接触ケース３２を連結した状態で、コの字型の固定ばね３３を上方から挿入することにより、固定ばね３３が凹部３４と係合する。これにより、レシーバユニットのコネクタが補聴器本体から外れる事態を回避することができる。
【先行技術文献】
【特許文献】
【０００３】
【特許文献１】特開２０１０−５１８６６２号公報
【発明の概要】
【発明が解決しようとする課題】
【０００４】
しかしながら、特許文献１に開示されている固定ばね３３は、非常に小さい部材であり、対応する位置に挿入することは、手慣れた作業であっても容易ではない。この場合、固定ばね３３がコの字型であるため、両側のピン先端部を両側の凹部３４に同時に位置決めすることが求められ、作業の困難性は一層増大する。また、固定ばね３３は補聴器本体のケースから突出しないように、見栄えよく配置するので、固定ばね３３を取り外し難い位置に設けざるを得ない。そのため、例えば、ピンセットを用いて固定ばね３３を取り外す際に、ピンセットの先端でケースを傷つける可能性が高く、これにより耳かけ型補聴器の外観を損なう恐れがある。
【０００５】
本発明はこれらの問題を解決するためになされたものであり、補聴器本体にレシーバユニットを固定するためのロックピンを着脱する際の作業性を向上するとともに、作業時にロックピンによってケースに傷が付くなどの不具合を防止し得る耳かけ型補聴器と、ロックピンの取り付け作業に用いるロックピン取付ユニットを提供することを目的とする。
【課題を解決するための手段】
【０００６】
上記課題を解決するために、本発明の耳かけ型補聴器は、補聴器本体と、レシーバを内蔵する耳せん部を設けて前記補聴器本体と着脱可能に接続されるレシーバユニットとを備える耳かけ型補聴器であって、前記レシーバユニットの一端に形成されたコネクタ部を前記補聴器本体のコネクタ受容部に連結した状態で形成されるロックピン挿入孔と、長手方向に沿って前記ロックピン挿入孔に挿入可能な棒状部材からなるロックピンとを備え、前記ロックピンは、前記長手方向を軸方向とする円筒の基本形状を有する前記棒状部材に対し、前記長手方向の中央部に凹部を形成し、かつ、両端部で円形断面の径が細くなる形状に形成した軸対称の構造を有し、前記ロックピン挿入孔には、前記凹部に対応する凸部が形成され、前記ロックピンを前記ロックピン挿入孔に挿入して前記凹部が前記凸部に係合した状態で、前記レシーバユニットが前記コネクタ部を介して前記補聴器本体と一体的に固定されることを特徴としている。
【０００７】
本発明の耳かけ型補聴器によれば、耳かけ型補聴器の補聴器本体とレシーバユニットを一体的に固定する場合、レシーバユニットの一端のコネクタ部を補聴器本体のコネクタ受容部に連結するとロックピン挿入孔が形成され、ロックピンを、その凹部がロックピン挿入孔の凸部に係合する位置まで押し込むことができる。このとき、ロックピンの存在によりコネクタ部がコネクタ受容部から抜けなくなり、補聴器本体とレシーバユニットを一体的に固定することができる。よって、シンプルな棒状部材のロックピンを用いることにより、レシーバユニットの着脱時にロックピンを挿入するときの作業性が格段に向上するとともに、補聴器本体のケースを傷つける可能性を減らすことができる。
【０００８】
また、本発明のロックピンの構造によれば、長手方向を軸方向とする円筒の基本形状を有する棒状部材に対し、長手方向の中央部に凹部を形成し、かつ、両端部で円形断面の径が細くなる形状に形成した軸対称の構造を採用したので、ロックピンの取り付け時に、最初に挿入される両端部の形状によりロックピンがロックピン挿入孔に妨げられにくく、かつ、ロックピンが軸対称の円筒であるため、挿入時の作業性を一層高めることができる。
【０００９】
本発明のロックピンの第２の構造例としては、所定の硬度を有する樹脂材料により形成され、ロックピンとロックピン挿入孔の断面方向の相対的変位により凹部が凸部に係合するような構造を挙げることができる。このような構造のロックピンを用いることにより、ロックピンの凹部が凸部の位置に達したときに確実に係合することができる。なお、第１の構造例と第２の構造例を組み合わせたロックピンを用いることも可能である。
【００１０】
また、上記課題を解決するために、本発明のロックピン取付ユニットは、補聴器本体と、レシーバを内蔵する耳せん部を設けて前記補聴器本体と着脱可能に接続されるレシーバユニットとを備える耳かけ型補聴器に用いるロックピン取付ユニットであって、棒状部材からなるロックピンと、第１の分離部を介して前記ロックピンが取り付けられた板状のロックピン把持部と、第２の分離部を介して前記ロックピン把持部に取り付けられ、前記ロックピンの周囲を取り囲む形状を有する板状のロックピン保護部とを備え、前記ロックピン、前記ロックピン把持部、前記ロックピン保護部、前記第１及び第２の分離部は、共通の樹脂材料により形成され、前記第２の分離部により前記ロックピン保護部を前記ロックピン把持部から分離した状態で、前記耳かけ型補聴器のロックピン挿入孔に前記ロックピンを前記長手方向に沿って挿入した後、前記第１の分離部により前記ロックピンを前記ロックピン把持部から分離可能であることを特徴としている。
【００１１】
本発明のロックピン取付ユニットによれば、ロックピンの取り付け作業を行わないときは、ロックピンの周囲のロックピン保護部材によりロックピンを保護することができる。一方、耳かけ型補聴器へのロックピンの取り付け作業を行うときは、最初に第２の分離部でロックピン保護部材をロックピン把持部から分離した後、ロックピン把持部を持ったままロックピンをロックピン挿入孔に確実に挿入することができる。さらに、ロックピンをロックピン挿入孔に挿入した後は、第１の分離部でロックピンとロックピン把持部とを分離することができるので、この状態で補聴器本体とレシーバユニットを一体的に固定することができる。よって、ロックピン取付ユニットを用いることにより、ピンセットやその他の器具を用いることなく、簡単な手順で効率的にロックピンの取り付け作業を行うことができる。
【００１２】
本発明のロックピン取付ユニットのロックピンは、長手方向の所定位置に上述の凹部を設けるとともに、この凹部をロックピン挿入孔に設けた凸部と係合できるようにすることが望ましい。これにより、ロックピン把持部を持ったままロックピンをロックピン挿入孔に押し込むことにより、上述の凹部と凸部を容易に係合することができる。
【００１３】
また、本発明のロックピン取付ユニットは、ロックピン把持部の一端に、ロックピン挿入孔に挿入されているロックピンを押し出すための突出部を設けることができる。この突出部を用いることにより、耳かけ型補聴器の部品交換時において、ロックピン挿入時に挿入されている以前のロックピンを容易に取り出すことができる。
【発明の効果】
【００１４】
以上説明したように、本発明によれば、耳かけ型補聴器においてレシーバユニットを補聴器本体と一体的に固定するためのロックピンを取り付ける場合、ロックピン挿入孔にロックピンを容易に挿入できるため作業性が向上するとともに、ロックピンの取り付け作業に伴うケースの傷等を防止して見栄えの良い外観を保つことができる。また、ロックピンとともにロックピン把持部やロックピン保護部を備えたロックピン取付ユニットを用いることにより、作業者が迅速かつ効率的なロックピン取付作業を行うことを支援することができる。
【図面の簡単な説明】
【００１５】
【図１】本実施形態の耳かけ型補聴器の外観を示す図である。
【図２】図１の耳かけ型補聴器のうち、ケース取付部材を取り外した状態の補聴器本体の内部構造とレシーバユニットのコネクタ部を示す図である。
【図３】レシーバユニットと補聴器本体とを一体的に接続した状態において、コネクタ部及びコネクタ受容部の部分の構造をロックピンとともに示す斜視図である。
【図４】ロックピンの詳細な構造を示す図である
【図５】本実施形態の耳かけ型補聴器のロックピンの着脱作業に用いるロックピン取付ユニットの構造を示す図である。
【図６】図５のロックピン取付ユニットからロックピン保護部を切り離した状態を示す図である。
【発明を実施するための形態】
【００１６】
以下、本発明の実施形態について添付図面を参照しながら説明する。図１は、本発明を適用した耳かけ型補聴器１の一実施例の外観を示す図である。図１に示すように、本実施形態の耳かけ型補聴器１は、補聴器本体２と、この補聴器本体２に接続して用いるレシーバユニット３とにより構成される。補聴器本体２は、内部に後述の各種構成部材を収納するケース１０を備えるとともに、このケース１０には、両側の１対のケース部材１０ａ、１０ｂと、これらのケース部材１０ａ、１０ｂを一体的に保持するケース取付部材１０ｃが含まれる。補聴器本体２には、後述のロックピン３０を挿入するためのロックピン挿入孔２３が設けられている。このロックピン挿入孔２３は、ケース取付部材１０ｃを貫通する第１挿入孔２３ａと、後述の第２挿入孔２３ｂとからなるが、詳しくは後述する。また、レシーバユニット３は、レシーバ（不図示）を内蔵して使用者の外耳道内に装着される耳せん部２０と、この耳せん部２０のレシーバと補聴器本体２の間を電気的に接続するための導通手段２１と、後述のコネクタ部２２（図２）とを備えている。
【００１７】
また、図２は、図１の耳かけ型補聴器１のうち、ケース取付部材１０ｃを取り外した状態の補聴器本体２の内部構造とレシーバユニット３のコネクタ部２２を示す図である。図２に示すように、補聴器本体２のケース１０の内部には、主要な構成部材として、１対のマイクロホン１１と、フレキシブル基板１２と、このフレキシブル基板１２に載置されたＤＳＰ(Digital Signal Processor)１３と、電池ボックス１４と、外部通信用コネクタ１５と、その他の多様な機構部材がそれぞれ収納されている。さらに、ケース１０の取付部材１０ｃ（図１）の内側にはケース部材１０ａ、１０ｂを合わせることにより形成されるコネクタ受容部１６が設けられ、レシーバユニット３の導通手段２１の先端に設けられたコネクタ部２２がコネクタ受容部１６の内側に連結可能な構造となっている。そして、後述のロックピン３０を挿入するための第２挿入孔２３ｂは、コネクタ部２２をコネクタ受容部１６に連結すると、ケース取付部材１０ｃに設けられた第１挿入孔２３ａ（図１）と連通するように、所定の位置に形成される。つまり、ロックピン挿入孔２３は、中央の第２挿入孔２３ｂの両側に第１挿入孔２３ａ（図１)が連通する構造を有する。なお、ロックピン３０及びロックピン挿入孔２３の役割及び構造については後述する。
【００１８】
図２において、１対のマイクロホン１１は、外部空間から伝わる音を電気信号に変換する。フレキシブル基板１２には、マイクロホン１１や後述のレシーバから出力された電気信号を処理するために必要な多数の回路部品が実装されている。このうち、特にＤＳＰ１３は、これらの電気信号に基づいてディジタル信号処理を実行し、例えば、使用者の聴力特性や使用環境に応じて個別に設定された所定の補聴処理を実行する手段として機能する。電池ボックス１４には、耳かけ型補聴器１の各部に対して電源を供給するボタン電池（不図示）が収納されている。外部通信用コネクタ１５は、ＤＳＰ１３等の部材と外部の間で所定の信号を送受信するために設けられている。
【００１９】
一方、レシーバユニット３において、導通手段２１は、その内部に補聴器本体２とレシーバとの間で電気信号を伝送するための電気配線が収納されるとともに、使用者の耳に合わせて装着可能な構造になっている。導通手段２１の端部には、補聴器本体２との電気的接続のためのコネクタ部２２が設けられ、上述したように、コネクタ部２２をコネクタ受容部１６に連結することにより、補聴器本体２とレシーバユニット３の間で電気信号をやり取りすることができる。
【００２０】
図３は、ケース取付部材１０ｃとケース部材１０ａを外して、レシーバユニット３と補聴器本体２とを一体的に接続した状態において、コネクタ部２２及びコネクタ受容部１６の部分の構造をロックピン３０とともに示す斜視図である。また、図４は、ロックピン３０の詳細な構造を示す図である。ロックピン挿入孔２３の第２挿入孔２３ｂは、上述したように、内側のコネクタ部２２が外側のコネクタ受容部１６に連結された状態で形成される。図２及び図３からわかるように、第２挿入孔２３ｂの上部は、コネクタ受容部１６の一部である断面半円状の部分であり、ロックピン挿入孔２３の下部は、コネクタ部２２の一部である断面半円状の部分であり、それぞれを併せて円形断面になる。第２挿入孔２３ｂの軸方向の中央下部には、後述するコネクタ部２２の凸部２３ｃが形成されている。本実施形態では、ロックピン挿入孔２３にロックピン３０を挿入することにより、レシーバユニット３を補聴器本体２と一体的に固定するものであるが、詳しくは後述する。
【００２１】
ロックピン３０は、例えば、所定の硬度を有するポリカーボネート等の樹脂材料を用いて形成され、後述の手順に従って、長手方向（図３のＡ方向）に沿ってロックピン挿入孔２３に挿入される。図４に示すように、ロックピン３０は、円筒の基本形状を有する軸対称の棒状部材であり、その長手方向の中央部に凹部３０ａが形成されている。つまり、ロックピン３０の円形断面の径は凹部３０ａの位置で小さくなっている。また、ロックピン３０が軸対称であるため、ロックピン３０を軸に対して回転させたときの角度に関わらずロックピン挿入孔２３に挿入することができる。さらに、ロックピン３０の両端部３０ｂ、３０ｃは略半円状に形成され、円形断面の径が次第に細くなっている。なお、ロックピン３０の樹脂材料は、ケース１０の色にかかわらず目立ちにくいように透明にすることが好ましいが、耳かけ型補聴器１のケース１０の色に適合するように着色することもできる。
【００２２】
一方、ロックピン挿入孔２３は、ロックピン３０の径より僅かに大きい円形断面であり、かつ、ロックピン３０の両端部３０ｂ、３０ｃが細くなっているため、ロックピン３０が、ケース取付部材１０ｃの第１挿入孔２３ａの入口で妨げられ難い。また、図２の断面構造において、第２挿入孔２３ｂの上下で対向するコネクタ部２２及びコネクタ受容部１６の間には若干の隙間（クリアランス）が存在する。よって、ロックピン３０をロックピン挿入孔２３に押し込むことにより、隙間の分だけコネクタ部２２が変位して円形断面が広がる構造であるため、ロックピン３０を第２挿入孔２３ｂに容易に挿入することができる。
【００２３】
さらに、ロックピン３０には適度な硬度があるため、その凹部３０ａが第２挿入孔２３ｂの凸部２３ｃと合致する位置に達したとき、ロックピン３０と第２挿入孔２３ｂの断面方向の相対的変位により凹部３０ａと凸部２３ｃを係合することができる。この状態においては、ロックピン３０を介して、レシーバユニット３のコネクタ部２２がコネクタ受容部１６から抜けなくなり、固定されることになる。
【００２４】
次に、図５を参照して、本実施形態の耳かけ型補聴器１のロックピン３０の着脱作業に用いるロックピン取付ユニット４０について説明する。図５に示すように、ロックピン取付ユニット４０は、板状のロックピン把持部４１と、板状のロックピン保護部４２と、上述のロックピン３０と、ロックピン把持部４１とロックピン保護部４２との間の切り離し部４３と、ロックピン把持部４１とロックピン３０との間の切り離し部４４とを備えて構成される。これらの構成部材は、ロックピン３０と同様、例えば、ポリカーボネート等の樹脂材料を用いて形成され、いずれの部材も平面視で同一の平面内に配置されている。
【００２５】
ロックピン把持部４１は、ロックピン３０を取り付けようとする作業者が手で持つための部材である。ロックピン保護部４２は、ロックピン把持部４１と対称的に配置された板状部材の一端に開口を形成したものであり、両側の切り離し部４３を介してロックピン把持部４１と連結している。この切り離し部４３は、板厚が薄くなっているため、力を加えることで、ロックピン把持部４１をロックピン保護部４２から折り曲げなどにより容易に切り離すことができる。
【００２６】
また、ロックピン３０は、一端が切り離し部４４を介してロックピン把持部４１と連結している。この切り離し部４４も、ロックピン３０より径が細くなっているため、折り曲げなどにより、ロックピン３０をロックピン保護部４２から容易に切り離すことができる。ロックピン３０は、平面視で上述のロックピン保護部４２の開口内に位置し、周囲をロックピン保護部４２に囲まれている。これにより、ロックピン取付ユニット４０の取扱い時に、誤ってロックピン３０に物をぶつけるなどの事態を防止することができる。さらに、ロックピン把持部４１には、ロックピン３０と対向する端部において短い円筒状に突出した突出部４１ａが設けられている。この突出部４１ａはロックピン３０をロックピン挿入孔２３から取り出す作業に用いるが、詳しくは後述する。
【００２７】
次に、図５に示すロックピン取付ユニット４０を用いてロックピン３０を取り付ける際の作業の流れについて説明する。例えば、耳かけ型補聴器１の故障等により、いったん補聴器本体２からレシーバユニット３を取り外して交換する場合である。最初に、作業対象の耳かけ型補聴器１のロックピン挿入孔２３に挿入されているロックピン３０を抜き出す必要がある。具体的には、作業者がロックピン把持部４１を持ち、突出部４１ａをロックピン３０に押し当てることで、ロックピン３０をロックピン挿入孔２３から押し出して、ピンセットなどで取り外すことができる。その後、補聴器本体２からレシーバユニット３を取り外して修理や交換等の必要な作業を行った後、以下の流れに従って、ロックピン取付ユニット４０に設けられたロックピン３０を新たに取り付ける。
【００２８】
まず、ロックピン把持部４１を固定した状態でロックピン保護部４２を厚み方向に折り曲げるなどにより切り離し部４３を切断し、ロックピン保護部４２を切り離す。図６は、このときのロックピン取付ユニット４０の状態を示している。すなわち、ロックピン保護部４２が切り離されたため、平面視で板状のロックピン把持部４１の一端にロックピン３０が全体的に露出した状態となる。この状態で、ロックピン把持部４１を持ったまま、ロックピン３０を矢印Ａ方向（図３及び図６）に沿ってロックピン挿入孔２３の第１挿入孔２３ａに挿入し、続けて徐々に挿入することで、ロックピン３０の凹部３０ａを第２挿入孔２３ｂの凸部２３ｃに係合させる。この作業の際に、ロックピン３０の長手方向は軸対称の形状となっており、どの回転方向であっても作業ができる。
【００２９】
次に、ロックピン把持部４１を厚み方向に折り曲げるなどにより切り離し部４４を切断し、これによりロックピン３０のみがロックピン挿入孔２３に残った状態になる。このようにして、ロックピン３０を介して、レシーバユニット３のコネクタ部２２を補聴器本体２のコネクタ受容部１６から抜けない状態となり、それぞれを一体的に固定することができる。なお、これらの作業の際に、ロックピン挿入孔２３は貫通しているので、両側のどちらからでも作業することができる。
【００３０】
以上説明したように、本実施形態のロックピン３０及びロックピン挿入孔２３の構造を採用することにより、ロックピン３０の取り付け作業における作業性を格段に高めることができる。すなわち、従来のコの字型のロックピンのように両側のピン先端部を正確に位置決めすることは不要であり、簡単かつ確実にロックピン３０をロックピン挿入孔２３に挿入することができる。また、ロックピン３０は外部から目立たない上に、ロックピン３０の取り付け作業の際に誤ってケース１０を傷つける可能性が低くなり、耳かけ型補聴器１の外観を見栄えよく保つことができる。さらに、ロックピン３０を取り付けるためのロックピン取付ユニット４０を用いて作業を行うことにより、作業者による一連のロックピン取り付け作業を迅速かつ効率的に行うことができる。
【００３１】
本実施形態では、図５の構造のロックピン取付ユニット４０として、耳かけ型補聴器１のロックピン取り付け作業に用いる場合を説明したが、同様のロックピン構造を具備する他の機器に対し、図５の構造のロックピン取付ユニット４０を用いることも可能である。これにより、本実施形態と同様、ロックピン構造を具備する機器におけるロックピン取付作業の作業性を向上させる効果を得ることができる。
【符号の説明】
【００３２】
１…耳かけ型補聴器
２…補聴器本体
３…レシーバユニット
１０…ケース
１０ａ、１０ｂ…ケース部材
１０ｃ…ケース取付部材
１１…マイクロホン
１２…フレキシブル基板
１３…ＤＳＰ
１４…電池ボックス
１５…外部通信用コネクタ
１６…コネクタ受容部
２０…耳せん部
２１…導通手段
２２…コネクタ部
２３…ロックピン挿入孔
２３ａ…第１挿入孔
２３ｂ…第２挿入孔
２３ｃ…凸部
３０…ロックピン
３０ａ…凹部
３０ｂ、３０ｃ…両端部
４０…ロックピン取付ユニット
４１…ロックピン把持部
４１ａ…突出部
４２…ロックピン保護部
４３、４４…切り離し部
【要約】
【課題】補聴器本体とレシーバユニットを一体的に固定するロックピンを取り付ける際の作業性を高めるとともに見栄えの良い外観を保ち得る耳かけ型補聴器等を提供する。
【解決手段】本発明の耳かけ型補聴器は、補聴器本体と、補聴器本体と着脱可能に接続されるレシーバユニットとを備え、コネクタ部２２をコネクタ受容部１６に連結した状態で形成されるロックピン挿入孔２３と、ロックピン挿入孔２３に挿入可能な円筒状の棒状部材からなるロックピン３０とを備えている。ロックピン３０には凹部３０ａ及び先端が細くなる形状の両端部が形成され、ロックピン挿入孔２３には凹部３０ａに対応する凸部２３ｃが形成されている。ロックピン３０をロックピン挿入孔２３に挿入して凹部３０ａが凸部２３ｃに係合した状態で、レシーバユニットは、コネクタ部２２を介して補聴器本体と一体的に固定される。
【選択図】図３【図１】
0005395300.tif 000002
【図２】
0005395300.tif 000003
【図３】
0005395300.tif 000004
【図４】
0005395300.tif 000005
【図５】
0005395300.tif 000006
【図６】
0005395300.tif 000007